(57)【要約】      （修正有）【課題】構造簡単で安価に製造できる配電盤等の扉開閉装置を提供する。【解決手段】配電盤等の本体に開口部を設け、同開口部に扉を着脱自在に取付可能としたものにおいて、扉の下側面に突起体を下向き状に設け、かつ、本体側の開口部の下側部には凹孔を設けて嵌合保持できるようにし、しかも扉の上部両側には嵌め込み状態で保持固定するロック装置を設けた。【選択図】図４  
0003106254.tif 000002
【実用新案登録請求の範囲】
【請求項１】
配電盤等の本体（１）に開口部（２）を設け、同開口部（２）に扉（３）を着脱自在に取付可能としたものにおいて、扉（３）の下側面（５）に突起体（４）を下向き状に設け、かつ、本体側の開口部（２）の下側部には上記突起体（４）を嵌合保持する凹孔（６）を設けると共に、該扉（３）の上部両側には、扉（３）を本体側に嵌め込み状態で保持固定するロック装置（９）を設け、しかも、同ロック装置（９）には解除手段（１０）を設けたことを特徴とする配電盤等の扉開閉装置。
【考案の詳細な説明】
【技術分野】
【０００１】
本考案は、配電盤等の本体に扉を開閉自在に取付けた扉開閉装置に関するものであって、特に扉の保持が強固であると共に、扉を開放状態としたときのスペースを狭くできながら、かつ、扉の取付け、及び取り外し操作を容易にしたものである。
【背景技術】
【０００２】
一般に配電盤は、配電盤内部の補修点検作業の容易化及び迅速化のため、扉の着脱操作を簡単にする必要があり、このため扉をロックするロック装置に電磁石により出没するロックピンを設けて扉の固定を行っていた。（例えば、特許文献１参照）
【０００３】
しかも、配電盤の扉開閉装置は全体的に安価に製作できる構造が要求されている。
【特許文献１】実開平６−４８３０６号公報
【考案の開示】
【考案が解決しようとする課題】
【０００４】
従来構造では、閉鎖配電盤の枠体（１）に出没自在に設けられ先端部に傾斜面（４）の形成されたロックピン（３）と、ロックピン（３）を出の方向に付勢したピンばね（５）と、開信号によりロックピン（３）を没の状態にする電磁石と、扉（８）に設けられロックピン（３）の傾斜面（４）に当接してロックピン（３）を没方向に移動し傾斜面（４）の背部に係止するロック金具（９）と、扉（８）を開の方向に付勢した扉ばね（６）と、扉（８）の前面に設けられオンオフの組合せにより、前記開信号を出力する複数個の押釦スイッチ（１３）とを設けて閉鎖配電盤の扉開閉装置を構成したものであるから、扉側の保持が強固にできないものであった。
【０００５】
また、扉開閉装置全体の構造が複雑でコスト高となっていた。
【０００６】
本考案は、従来構造の欠点や問題点を解消し、構造簡単で安価に製造できる配電盤等の扉開閉装置を提供するものである。
【課題を解決するための手段】
【０００７】
本考案は、配電盤等の本体に開口部を設け、同開口部に扉を着脱自在に取付可能としたものにおいて、扉の下側面に突起体を下向き状に設け、かつ、本体側の開口部の下側部には上記突起体を嵌合保持する凹孔を設けると共に、上記扉の上部両側には、該扉を本体側に嵌め込み状態で保持固定するロック装置を設け、しかも、同ロック装置には解除手段を設けた配電盤等の扉開閉装置である。
【考案の効果】
【０００８】
本考案は配電盤等の本体に開口部を設け、同開口部に扉を着脱自在に取付可能としたものにおいて、同扉を装着する場合は、扉の下側面に下向き状に設けた突起体を、本体側の開口部に設ける凹孔に嵌め込みながら、扉の上部両側をロック装置により固定するものであるから、扉の保持が強固に固定され、機体振動などで扉が不測に開くようなことがない。
【０００９】
また、ロック装置には解除手段を設けているので、扉を取り外す場合は簡単な操作で解放することができるものである。
【００１０】
しかも、配電盤等の本体側の開口部や扉の加工が容易であると共に安価に製造できるものである。
【考案を実施するための最良の形態】
【００１１】
本考案は配電盤等の本体側に扉を着脱自在に取付可能としたものにおいて、扉の下側面に下向き状に突起体を設けたこと、及び本体側には突起体を嵌合保持する凹孔を設けたこと、並びに、扉の上部両側にはロック装置を設けて、扉の保持が強固にできながら、配電盤等の製作が簡単、かつ、安価にできるものである。
【実施例】
【００１２】
図１から図４までは本考案装置の一実施例を示すものであって、（１）は配電盤（Ａ）の本体で、開口部（２）に扉（３）を着脱自在に取付けている。
【００１３】
（４）は扉（３）の下側面（５）に下向き状に突設した突起体、（６）は本体側の開口部（２）の下側部（７）に設ける凹孔で、扉（３）を装着する場合は扉側の突起体（４）が嵌合保持できるように設けられている。
【００１４】
また、扉（３）の上部両側（８）（８）には、該扉（３）を本体側に嵌め込み状態で保持固定するロック装置（９）（９）を設けており、（１０）はロック装置（９）（９）に各々設ける解除手段である。
【００１５】
（１１）はロック装置（９）（９）のロック金具で、傾斜面（１２）を設けていると共に付勢バネ（１３）により常時は突出状態に保持されている。（１4）は、ロック金具（１１）を解除するための解除用操作杆で、扉（３）の表面に突出状に位置していると共に、溝（１５）に沿って左右方向に移動可能となっている。
【００１６】
（１６）はロック受金具で、本体側開口部（２）の上部両側に固着されている。
【００１７】
（１７）は、扉（３）の表面に左右に設ける握り杆である。
【００１８】
本考案の実施例は上記のように構成されており、したがって、配電盤（A）の本体側の開口部（２）に扉（３）を嵌めて閉状態とするときは、同扉（３）の下側面（５）に設ける突起体（４）（４）を開口部（２）に設ける凹孔（６）（６）に嵌装しながら、同時に扉（３）の上部を開口部（３）に押し込む。
【００１９】
この場合に、扉（３）の裏面に設けるロック装置（９）のロック金具（１１）に形成する傾斜面（１２）がロック受金具（１６）に当接しながらロック金具（１１）を没状態に移動させる。
【００２０】
また、ロック金具（１１）はロック受金具（１６）よりも引き込み状態となると扉（３）は本体側の開口部（２）に完全に嵌まり、同時にロック金具（１１）が付勢バネ（１３）により突出状態となる。
【００２１】
そして、扉（３）は前記突起体（４）（４）及びロック装置（９）により配電盤本体側に強固に固定されるものである。
【００２２】
また、扉（３）を配電盤本体より取り外す場合は、ロック金具（１１）に一体的に設ける解除用操作杆（１４）を付勢バネ（１３）に抗して内側方向に移動させることにより該ロック金具（１１）はロック受金具（１６）より外れて扉全体が開き状態となるものである。
【産業上の利用可能性】
【００２３】
本考案は制御盤や配電盤等の箱体の扉を、強固な状態で保持できると共に、取り外し操作が簡単である配電盤等の扉開閉装置である。
【図面の簡単な説明】
【００２４】
【図１】本考案の一実施例を示すものであって、配電盤の正面図である。
【図２】配電盤の右側面図。
【図３】図１のＩ−Ｉ矢視図でロック装置及び解除手段を示している。
【図４】配電盤の下部詳細を示す拡大側断面図である。
【符号の説明】
【００２５】
Ａ    配電盤
１    本体
２    開口部
３    扉
４    突起体
５    下側面
６    凹孔    
７    下側部
９    ロック装置
１０  解除手段
【図１】
0003106254.tif 000003
【図２】
0003106254.tif 000004
【図３】
0003106254.tif 000005
【図４】
0003106254.tif 000006